(57)【特許請求の範囲】
【請求項１】
（ａ）次亜塩素酸アルカリ金属塩２質量％以上、５質量％以下、
（ｂ）アルカリ金属水酸化物１質量％以上、３質量％以下、
（ｃ）アルカリ金属珪酸塩０．０１質量％以上、０．５質量％以下、
（ｄ）炭素数８以上、１４以下のアルキル基を１つ以上有するアルキルアミンオキシド０．０１質量％以上、３質量％以下、
（ｅ）炭素数８以上、１４以下の脂肪酸塩０．０１質量％以上、３質量％以下、
（ｆ）（ｆ−１）クメンスルホン酸、キシレンスルホン酸、トルエンスルホン酸及びこれらのアルカリ金属塩、及び（ｆ−２）炭素数８以上、１４以下のアルキル基を有するポリオキシアルキレンアルキルエーテル硫酸塩から選ばれる１種以上を０．０１質量％以上、３質量％以下、並びに、
（ｇ）水、
を含有し、
（ｅ）成分の含有量に対する炭素数１０の脂肪酸の塩の含有量（Ｃ１０脂肪酸塩の含有量と表示する）の質量比が、［Ｃ１０脂肪酸塩の含有量］／［（ｅ）成分の含有量］で、０．５以上である、
液体漂白剤組成物。
【請求項２】
２５℃における粘度が１０ｍＰａ・ｓ未満である、請求項１記載の液体漂白剤組成物。
【請求項３】
（ｆ−１）成分が、メタキシレンスルホン酸アルカリ金属塩である、請求項１又は２記載の液体漂白剤組成物。
【請求項４】
（ｆ）として、（ｆ−１）及び（ｆ−２）を含有する、請求項１〜３の何れか１項記載の液体漂白剤組成物。
【請求項５】
排水口用又は排水管用である、請求項１〜４の何れか１項記載の液体漂白剤組成物。
【請求項６】
請求項１〜５の何れか１項記載の液体漂白剤組成物を、スプレー容器に充填してなる、スプレー式漂白剤物品。
【請求項７】
請求項１〜６の何れか１項記載の液体漂白剤組成物を排水口又は排水管に塗布する工程、前記液体漂白剤組成物が塗布された状態を３分間以上保持する工程、前記液体漂白剤組成物が塗布された排水口又は排水管を水で濯ぐ工程、を有する、排水口又は排水管の洗浄方法。
【請求項８】
前記液体漂白剤組成物をスプレーして排水口又は排水管に塗布する、請求項７記載の洗浄方法。
【請求項９】
排水口又は排水管が金属部材を含み、該金属部材を腐食させずに洗浄する、請求項７又は８記載の洗浄方法。
【発明の詳細な説明】
【技術分野】
【０００１】
本発明は、液体漂白剤組成物、スプレー式漂白剤物品、及び排水口又は排水管の洗浄方法に関する。
【背景技術】
【０００２】
従来、次亜塩素酸アルカリ金属塩を主成分とする漂白剤組成物は多く知られており、浴室、浴槽、台所、トイレ、排水管等の硬質表面に付着した汚れ、特にカビ等に起因する汚れの除去を目的として広範囲に使用されている。
硬質表面を対象とした漂白剤組成物は、適用される硬質表面が水平面に限らず垂直面、傾斜面など多様であることから、様々な表面に適用された場合にも優れた漂白性能を発揮させるために、対象となる汚れへの付着滞留性が要求されている。
また、漂白剤組成物を広い範囲に効率的に塗布することができる、あるいは、対象とする汚れに集中的に塗布することが可能であるという点から、トリガー式のスプレー容器を用いて漂白剤組成物を使用することが知られている。その際、スプレー時のミストの飛散や液の跳ね返りなどを防止するために、界面活性剤等を配合することにより起泡力を向上させ付着性を向上させることが提案されている。
【０００３】
特許文献１には、次亜塩素酸アルカリ金属塩、０．２〜０．５重量％に濃度限定されたアルカリ金属水酸化物、炭素数８〜１６のアルキル基を１つ以上有するアミンオキシド型界面活性剤及び炭素数８〜１６のアルキル基を１つ以上有するカルボキシベタイン型界面活性剤から選ばれる両性界面活性剤、並びに、クメンスルホン酸、キシレンスルホン酸、トルエンスルホン酸及びこれらのアルカリ金属塩から選ばれる１種以上を、それぞれ、所定条件で含有する液体漂白洗浄剤組成物、及び該組成物をスプレー容器に充填してなる液体漂白洗浄剤物品が記載されている。
【０００４】
特許文献２には、次亜塩素酸アルカリ金属塩、アルカリ金属の水酸化物、特定２種のアルキルジメチルアミンオキサイド、脂肪酸又はそのアルカリ金属塩、及び好ましくはアルキル基の炭素数が８〜１８であるアルキルベンゼンスルホン酸塩を、それぞれ所定条件で含有し、界面活性剤の総量が１．５質量％以上である排水管用液体洗浄剤組成物が記載されている。
【０００５】
特許文献３には、高濃度の次亜塩素酸アルカリ金属塩と、特定の３種類の洗浄活性物質とを含有する、増粘された液体漂白剤組成物が記載されている。
【０００６】
特許文献４には、０．０５〜１質量％の低濃度に限定された次亜塩素酸アルカリ金属塩、炭素数８〜１４のアルキル基を有するジメチルアミンオキシド、炭素数８〜１２の脂肪酸アルカリ金属塩、アルカリ金属の水酸化物、及び水を所定条件で含有する、２５℃におけるｐＨが１２〜１４である血液汚れ洗浄性に優れる硬質表面用洗浄剤組成物が記載されている。
【先行技術文献】
【特許文献】
【０００７】
【特許文献１】特開２００２−２１２５９６号公報
【特許文献２】特開２０１０−１５０３１９号公報
【特許文献３】特開昭６０−０９２３９８号公報
【特許文献４】特開２０１３−２２１０４３号公報
【発明の概要】
【発明が解決しようとする課題】
【０００８】
次亜塩素酸塩を含有する漂白剤を排水口や排水管に長時間滞留させることは、それらに存在する毛髪等を十分に溶解させるために望ましい。
排水口、排水管及びこれらの周囲には金属を用いた部材が多く存在しており、次亜塩素酸塩を含有する漂白剤を長時間付着させる場合は、金属の腐食防止効果が要求される。
また、漂白剤を排水口や排水管に泡状で適用することは、漂白剤の滞留性向上のためには有利である。漂白剤を泡状で対象物に適用する簡便な方法は、漂白剤をスプレー容器に充填し、スプレー容器から排出される泡として適用することである。このような態様を考慮すると、漂白剤は、スプレー容器の操作性に優れることが望ましい。
更には、次亜塩素酸塩を含有する漂白剤を泡状で適用するということは、漂白対象である金属表面上に多くの気液界面の状態を存在させていると推察される。金属腐食は、液中より気液界面で進行しやすいことが一般に知られており、より一層の金属腐食防止効果が要求される。
【０００９】
特許文献１記載の液体漂白洗浄剤組成物はアルカリ金属水酸化物の含有量を漂白速度向上の点から０．５重量％以下としている。特に、排水口又は排水管などの金属が多く使用されている対象に塗布する場合には、より高い腐食防止性能が望まれる。
特許文献２は、排水管への付着滞留性の観点から粘度４００ｍＰａ・ｓ以上の排水管用液体洗浄剤組成物を開示しているが、スプレー容器からの排出性、スプレー容器の操作性及び起泡性といった、スプレー容器により噴霧して用いる場合に望まれる効果については具体的には示されていない。
特許文献３には、高濃度の次亜塩素酸ナトリウムを含有する増粘された液体漂白剤組成物が開示されているが、簡便なスプレー容器を用いて、金属腐食を防止する配慮に欠けている。
また、特許文献４は、低濃度の次亜塩素酸アルカリ金属塩を含有する硬質表面用洗浄剤組成物であり、硬質表面に付着した血液汚れの洗浄性には優れるものであるが、金属腐食防止の観点と、様々な汚れと毛髪が混在する排水口や排水管といった排水設備における漂白に対しては、更なる改善の余地がある。
【００１０】
本発明は、金属の腐食防止効果、及びスプレー容器の操作性に優れた液体漂白剤組成物に関する。
【課題を解決するための手段】
【００１１】
本発明は、
（ａ）次亜塩素酸アルカリ金属塩２質量％以上、５質量％以下、
（ｂ）アルカリ金属水酸化物１質量％以上、３質量％以下、
（ｃ）アルカリ金属珪酸塩０．０１質量％以上、３質量％以下、
（ｄ）炭素数８以上、１４以下のアルキル基を１つ以上有するアルキルアミンオキシド０．０１質量％以上、３質量％以下、
（ｅ）炭素数８以上、１４以下の脂肪酸塩０．０１質量％以上、３質量％以下、
（ｆ）（ｆ−１）クメンスルホン酸、キシレンスルホン酸、トルエンスルホン酸及びこれらのアルカリ金属塩、及び（ｆ−２）炭素数８以上、１４以下のアルキル基を有するポリオキシアルキレンアルキルエーテル硫酸塩から選ばれる１種以上を合計で０．０１質量％以上、３質量％以下、並びに、
（ｇ）水、
を含有する液体漂白剤組成物に関する。
【００１２】
以下、（ａ）次亜塩素酸アルカリ金属塩を（ａ）成分、（ｂ）アルカリ金属水酸化物を（ｂ）成分、（ｃ）アルカリ金属珪酸塩を（ｃ）成分、（ｄ）炭素数８以上、１４以下のアルキル基を１つ以上有するアルキルアミンオキシドを（ｄ）成分、（ｅ）炭素数８以上、１４以下の脂肪酸塩を（ｅ）成分、（ｆ−１）クメンスルホン酸、キシレンスルホン酸、トルエンスルホン酸及びこれらのアルカリ金属塩を（ｆ−１）成分、（ｆ−２）炭素数８以上、１４以下のアルキル基を有するポリオキシアルキレンアルキルエーテル硫酸塩を（ｆ−２）成分、（ｇ）水を（ｇ）成分という。また、以下、（ｆ−１）成分と（ｆ−２）成分を合わせて（ｆ）成分という。
【００１３】
また、本発明は、上記本発明の液体漂白剤組成物を、スプレー容器に充填してなる、スプレー式漂白剤物品に関する。
【００１４】
また、本発明は、上記本発明の液体漂白剤組成物を排水口又は排水管に塗布する工程、前記液体漂白剤組成物が塗布された状態を３分間以上保持する工程、前記液体漂白剤組成物が塗布された排水口又は排水管を水で濯ぐ工程、を有する、排水口又は排水管の洗浄方法に関する。
【発明の効果】
【００１５】
本発明によれば、金属の腐食防止効果、及びスプレー容器の操作性に優れた液体漂白剤組成物が提供される。本発明の液体漂白剤組成物は、対象物にスプレーして用いるのに適している。
【発明を実施するための形態】
【００１６】
＜液体漂白剤組成物＞
（ａ）成分の次亜塩素酸アルカリ金属塩としては、次亜塩素酸カリウム及び次亜塩素酸ナトリウムから選ばれる１種以上の化合物が挙げられる。（ａ）成分は、次亜塩素酸ナトリウムが好ましい。
【００１７】
（ｂ）成分のアルカリ金属水酸化物としては、水酸化カリウム及び水酸化ナトリウムから選ばれる１種以上の化合物が挙げられる。（ｂ）成分は、水酸化ナトリウムが好ましい。
【００１８】
（ｃ）成分のアルカリ金属珪酸塩としては、オルト珪酸アルカリ金属塩、メタ珪酸アルカリ金属塩、１号珪酸アルカリ金属塩、２号珪酸アルカリ金属塩、及び３号珪酸アルカリ金属塩から選ばれる１種以上の化合物が挙げられる。
（ｃ）成分は、金属の腐食防止性の観点から、オルト珪酸アルカリ金属塩、メタ珪酸アルカリ金属塩、及び１号珪酸アルカリ金属塩から選ばれる１種以上の化合物が好ましく、メタ珪酸アルカリ金属塩がより好ましい。
（ｃ）成分は、入手の容易さの観点から、珪酸カリウム及び珪酸ナトリウムから選ばれる１種以上の化合物が好ましく、珪酸ナトリウムがより好ましい。
【００１９】
（ｄ）成分は、炭素数８以上、１４以下のアルキル基を１つ以上有するアルキルアミンオキシドである。（ｄ）成分は、炭素数８以上、１４以下のアルキル基を１つ有するアルキルアミンオキシドが好ましい。
【００２０】
（ｄ）成分としては、下記一般式（ｄ１）で表される化合物が挙げられる。
【００２１】
【化１】
0006443965.tif 000002
【００２２】
（式中、Ｒ１ｄは炭素数８以上、１４以下のアルキル基、好ましくは炭素数１０以上、１４以下のアルキル基、Ｒ２ｄは炭素数１以上、３以下のアルキレン基、Ｒ３ｄ、Ｒ４ｄはそれぞれ独立して炭素数１以上、３以下のアルキル基又はヒドロキシアルキル基であり、Ｘは−ＣＯＯ−、−ＯＣＯ−、−ＮＨＣＯ−、−ＣＯＮＨ−、−Ｏ−から選ばれる基、ｍは０又は１の数である。）
【００２３】
入手の容易さの観点から、一般式（１）中のｍは０が好ましい。Ｒ３ｄ、Ｒ４ｄはそれぞれ独立して炭素数１以上、３以下のアルキル基が好ましく、炭素数１のアルキル基がより好ましい。
【００２４】
（ｄ）成分のアルキル基、例えば、一般式（ｄ１）中のＲ１ｄは、スプレー容器使用時の泡吐出性の観点から、炭素数１０以上が好ましく、そして、１４以下が好ましく、１２以下がより好ましく、炭素数１２が更に好ましい。
【００２５】
（ｄ）成分としては、次亜塩素酸ナトリウムの保存安定性、起泡性、洗浄性の観点から、オクチルジメチルアミンオキシド、ノニルジメチルアミンオキシド、デシルジメチルアミンオキシド、ウンデシルジメチルアミンオキシド、ドデシルジメチルアミンオキシド、トリデシルジメチルアミンオキシド、テトラデシルジメチルアミンオキシドが好ましく、デシルジメチルアミンオキシド、ウンデシルジメチルアミンオキシド、ドデシルジメチルアミンオキシド、トリデシルジメチルアミンオキシド、テトラデシルジメチルアミンオキシドがより好ましく、ドデシルジメチルアミンオキシド、トリデシルジメチルアミンオキシド、テトラデシルジメチルアミンオキシドがさらに好ましく、ドデシルジメチルアミンオキシドがより更に好ましい。
【００２６】
（ｄ）成分は、１種を用いてもよいし、２種以上を組合せて用いてもよい。
【００２７】
（ｅ）成分は、炭素数８以上、１４以下の脂肪酸塩である。（ｅ）成分は、炭素数８以上、１４以下の脂肪酸のアルカリ金属塩が好ましく、ナトリウム塩がより好ましい。（ｅ）成分の炭素数は、９以上が好ましく、そして、１３以下が好ましく、１２以下がより好ましく、１１以下がより好ましい。（ｅ）成分としては、具体的には、ｎ−デカン酸塩、ラウリン酸塩が挙げられる。（ｅ）成分は、起泡性の観点から、炭素数１０の脂肪酸の塩が好ましく、炭素数１０の脂肪酸のアルカリ金属塩がより好ましく、炭素数１０の脂肪酸のナトリウム塩が更に好ましい。（ｅ）成分を用いることは、本発明の効果を損なわずに、組成物の粘度をスプレーしやすい適度な値に保つ点でも好ましい。
【００２８】
（ｆ）成分のうち、（ｆ−１）成分は、クメンスルホン酸、キシレンスルホン酸、トルエンスルホン酸及びこれらのアルカリ金属塩である。アルカリ金属塩は、ナトリウム塩が好ましい。（ｆ−１）成分は、キシレンスルホン酸及びそのアルカリ金属塩から選ばれる化合物が好ましく、キシレンスルホン酸アルカリ金属塩がより好ましく、メタキシレンスルホン酸アルカリ金属塩が更に好ましい。
【００２９】
（ｆ）成分のうち、（ｆ−２）成分は炭素数８以上、１４以下のアルキル基を有するポリオキシアルキレンアルキルエーテル硫酸塩である。（ｆ−２）成分が有するアルキル基は、炭素数１０以上が好ましく、そして、１２以上がより好ましい。また、（ｆ−２）成分のポリオキシアルキレンは、ポリオキシエチレンが好ましい。（ｆ−２）成分のアルキレンオキシドの平均付加モル数は、１以上が好ましく、１より大きいことがより好ましく、１．１以上がより好ましく、１．２以上がより好ましく、１．５以上がより好ましく、２以上がより好ましく、そして、６以下が好ましく、４以下がより好ましい。（ｆ−２）成分は、エチレンオキシドの平均付加モル数が１以上、６以下で炭素数８以上、１４以下のアルキル基を有するポリオキシエチレンアルキルエーテル硫酸ナトリウムが好ましい。
【００３０】
（ｇ）成分の水は、イオン交換水、ＲＯ水、蒸留水、水道水などが挙げられる。
【００３１】
本発明の液体漂白剤組成物は、（ａ）成分を２質量％以上、好ましくは２．３質量％以上、より好ましくは２．５質量％以上、より好ましくは２．７質量％以上、そして、５質量％以下、好ましくは４質量％以下、より好ましくは３．５質量％以下、より好ましくは３．３質量％以下、より好ましくは３質量％以下、含有する。この含有量は、金属の腐食性抑制の観点から好ましい。
【００３２】
本発明の液体漂白剤組成物は、（ｂ）成分を１質量％以上、好ましくは１．１質量％以上、より好ましくは１．２質量％以上、そして、３質量％以下、好ましくは２．５質量％以下、より好ましくは２質量％以下、含有する。この含有量は、金属の腐食性抑制および、次亜塩素酸ナトリウムの安定性の観点から好ましい。
【００３３】
なお、（ｂ）成分のアルカリ金属水酸化物とは、液体漂白剤組成物中に存在するアルカリ金属イオンとヒドロキシイオンとの組合せ、すなわち遊離アルカリを示し、他の対イオンとの組合せの場合はカウントされない。
本発明において、組成物中の（ｂ）成分の量は、仕込み量からの計算値を採用することができる。また、組成物中の（ｂ）成分の量は、ＡＳＴＭ  Ｄ  ２０２２−８９記載の方法により測定することができる。すなわち、この方法は、漂白剤中の遊離アルカリ量を水酸化ナトリウム（ＮａＯＨ）として測定するものであり、本発明においてもこの方法で得られた組成物中の遊離アルカリの量を組成物中の（ｂ）成分の量とすることができる。
【００３４】
本発明の液体漂白剤組成物は、（ｃ）成分を０．０１質量％以上、好ましくは０．０５質量％以上、より好ましくは０．０８質量％以上、そして、３質量％以下、好ましくは１．５質量％以下、より好ましくは０．５質量％以下含有する。この含有量は、金属の腐食性抑制の観点から好ましい。
【００３５】
本発明の液体漂白剤組成物は、（ｄ）成分を０．０１質量％以上、好ましくは０．３質量％以上、より好ましくは０．５質量％以上、そして、３質量％以下、好ましくは１．５質量％以下、より好ましくは１．０質量％以下含有する。この含有量は、液粘度制御および、金属の腐食性抑制の観点から好ましい。
【００３６】
本発明の液体漂白剤組成物は、（ｅ）成分を０．０１質量％以上、好ましくは０．０５質量％以上、より好ましくは０．１質量％以上、より好ましくは０．１３質量％以上、そして、３質量％以下、好ましくは１．５質量％以下、より好ましくは０．５質量％以下、より好ましくは０．４質量％以下、より好ましくは０．３質量％以下含有する。この含有量は、液粘度制御および起泡性の観点から好ましい。
【００３７】
本発明の液体漂白剤組成物は、起泡性の観点から、炭素数６以上、２０以下の脂肪酸の塩の含有量（Ｃ６〜Ｃ２０脂肪酸塩の含有量と表示する）に対する（ｅ）成分の含有量の質量比が、［（ｅ）成分の含有量］／［Ｃ６〜Ｃ２０脂肪酸塩の含有量］で、好ましくは０．５以上、より好ましくは０．７以上であり、より好ましくは０．９以上である。
【００３８】
また、本発明の液体漂白剤組成物は、（ｅ）成分の含有量に対する炭素数１０の脂肪酸の塩の含有量（Ｃ１０脂肪酸塩の含有量と表示する）の質量比が、［Ｃ１０脂肪酸塩の含有量］／［（ｅ）成分の含有量］で、好ましくは０．５以上、より好ましくは０．７以上、より好ましくは０．９以上である。本発明の液体漂白剤組成物は、（ｅ）成分として、炭素数１０の脂肪酸の塩を含有することが好ましい。
【００３９】
また、本発明の液体漂白剤組成物は、（ｅ）成分の含有量に対する炭素数１５以上の脂肪酸の塩の含有量（Ｃ１５以上脂肪酸塩の含有量と表示する）の質量比が、［Ｃ１５以上脂肪酸塩の含有量］／［（ｅ）成分の含有量］で、起泡性の観点から、好ましくは０．１以下、より好ましくは０．０５以下である。
【００４０】
本発明の液体漂白剤組成物は、（ｆ）成分を合計で０．０１質量％以上、好ましくは０．１質量％以上、より好ましくは０．１５質量％以上、そして、３質量％以下、好ましくは２．０質量％以下、より好ましくは１．５質量％以下含有する。この含有量は、液粘度制御および起泡性の観点から好ましい。
【００４１】
（ｆ）成分として（ｆ−１）成分を含有する場合、その含有量は、組成物中、好ましくは０．１質量％以上、より好ましくは０．３質量％以上、そして、好ましくは２質量％以下、より好ましくは１質量％以下である。この含有量は、  起泡性の観点から好ましい。
【００４２】
（ｆ）成分として（ｆ−２）成分を含有する場合、その含有量は、組成物中、好ましくは０．１質量％以上、より好ましくは０．１５質量％以上、そして、好ましくは０．５質量％以下、より好ましくは０．３質量％以下である。この含有量は、液粘度制御、起泡性および金属の腐食性抑制の観点から好ましい。
【００４３】
（ｆ）成分として（ｆ−１）成分及び（ｆ−２）成分の両方を含有することができる。（ｆ−１）成分と（ｆ−２）成分とを含有する場合、（ｆ−１）成分と（ｆ−２）成分の質量比は、（ｆ−１）／（ｆ−２）で、好ましくは１以上、より好ましくは３以上、そして、好ましくは１０以下、より好ましくは５以下である。この質量比は、泡の付着性の観点から好ましい。
【００４４】
本発明の液体漂白剤組成物は、本発明の効果を妨げない範囲において、漂白剤や洗浄剤に一般に配合される成分を含有することができる。例えば、溶剤、キレート剤、（ｆ−１）成分以外のハイドロトロープ剤、分散剤、（ｂ）成分、（ｃ）成分以外のｐＨ調整剤、粘度調整剤、香料、着色剤、酸化防止剤、防腐剤などが挙げられる。
【００４５】
本発明の液体漂白剤組成物は、（ｄ）成分、（ｅ）成分、（ｆ−２）成分以外の界面活性剤（以下、「他の界面活性剤」と呼ぶ）を含有することができる。他の界面活性剤は、特に制限されるものではないが、
（ｉ）ポリオキシアルキレンアルキルエーテルカルボン酸塩、アルカンスルホン酸塩、アルキル硫酸エステル塩、アルキルベンゼンスルホン酸塩、アルキルナフタレンスルホン酸塩、アルキルスルホコハク酸塩、アルキルジフェニルエーテルジスルホン酸塩、アルキルリン酸塩、ポリオキシエチレンアルキルフェニルエーテルスルホン酸塩等の陰イオン界面活性剤、
（ii）ポリオキシアルキレンアルキルエーテル、ポリオキシアルキレンアルケニルエーテル、ポリアルキレングリコール、ポリオキシアルキレンアルキルフェニルエーテル、脂肪酸ポリオキシエチレンエステル、脂肪酸ソルビタンエステル、脂肪酸ポリオキシアルキレンソルビタンエステル、脂肪酸サッカライドエステル、アルキルポリサッカライド、アルキルグリセリルエーテル、脂肪酸アルカノールアミド等の非イオン界面活性剤、
（iii）アルキルアミノ酢酸ベタイン、アルキルアミドプロピルベタイン、アルキルヒドロキシスルホベタイン等のベタイン、及びアミドアミノ酸（イミダゾリン系ベタイン）等の両性界面活性剤、及び
（iv）アルキルトリメチルアンモニウム塩、ジアルキルジメチルアンモニウム塩、塩化ベンザルコニウム、アルキルベンジルジメチルアンモニウム塩、アルキルピリジニウム塩、ポリエチレンポリアミン、塩化ベンゼトニウム等の陽イオン界面活性剤、
から選ばれる界面活性剤が挙げられる。これらは、１種又は２種以上を組み合わせて使用することができる。
【００４６】
本発明の液体漂白剤組成物における他の界面活性剤の含有量は、組成物中、好ましくは０．０５質量％以上、そして、好ましくは０．１５質量％以下である。
【００４７】
本発明の液体漂白剤組成物は、全界面活性剤の含有量中、（ｄ）成分の含有量、（ｅ）成分の含有量及び（ｆ−２）成分の含有量の合計の占める割合が、好ましくは８０質量％以上、より好ましくは９０質量％以上、そして、好ましくは１００質量％以下であり、１００質量％であってよい。
【００４８】
本発明の液体漂白剤組成物は、２５℃における粘度が１０ｍＰａ・ｓ未満であることが好ましく、８ｍＰａ・ｓ未満であることがより好ましく、６ｍＰａ・ｓ未満であることがより好ましい。この粘度は、スプレー容器による噴霧時の操作性、起泡性の観点から好ましい。この粘度は、Ｂ型粘度計によりＮｏ．１ローターを用いて、２５℃、回転数６０ｒｐｍの条件で１分攪拌後の値を測定したものである。
【００４９】
本発明の液体漂白剤組成物の２５℃におけるｐＨは、好ましくは１３以上、より好ましくは１３．１以上、更に好ましくは１３．３以上である。このｐＨは、金属の腐食性抑制および、次亜塩素酸ナトリウムの安定性の観点から好ましい。
【００５０】
本発明の液体漂白剤組成物は、硬質表面用として好適である。本発明の液体漂白剤組成物は、金属用として好適である。本発明の液体漂白剤組成物は、排水口用又は排水管用として好適である。
【００５１】
本発明の液体漂白剤組成物は、該組成物の硬質表面への付着、及びその後の除去を伴う洗浄方法に用いるのが好ましい。
本発明の液体漂白剤組成物は、液状又は泡状となって対象物に適用できる剤型とすることが好ましい。
本発明の液体漂白剤組成物は、液状にして対象に適用することができる。
また、本発明の液体漂白剤組成物は、泡形成機構を有するスプレー容器によって、泡状に吐出して対象物に適用する方法で使用することが好ましい。
また、本発明の液体漂白剤組成物は、該組成物を、紙、布、ガーゼ、ペーパータオルなどの担体に含浸させ、対象物を拭き取るように適用する方法で使用することができる。
【００５２】
本発明の液体漂白剤組成物の使用方法の一例を挙げる。これらの方法には、後述の本発明の排水口又は排水管の洗浄方法の態様を適用することができる。
（１）本発明の液体漂白剤組成物を硬質表面に塗布する工程、前記液体漂白剤組成物が塗布された状態を３分間以上保持する工程、前記液体漂白剤組成物が塗布された硬質表面を水で濯ぐ工程、を有する、硬質表面の洗浄方法。硬質表面は、金属製物品の硬質表面が好ましい。
（２）本発明の液体漂白剤組成物を金属製物品に塗布する工程、前記液体漂白剤組成物が塗布された状態を３分間以上保持する工程、前記液体漂白剤組成物が塗布された金属製物品を水で濯ぐ工程、を有する、金属製物品の洗浄方法。
（３）本発明の液体漂白剤組成物を排水設備に塗布する工程、前記液体漂白剤組成物が塗布された状態を３分間以上保持する工程、前記液体漂白剤組成物が塗布された排水設備を水で濯ぐ工程、を有する、排水設備の洗浄方法。排水設備は、金属製物品を含む排水設備が好ましい。
【００５３】
＜スプレー式漂白剤物品＞
本発明のスプレー式漂白剤物品は、本発明の液体漂白剤組成物を、スプレー容器に充填してなる。
本発明のスプレー式漂白剤物品は、本発明の液体漂白剤組成物を、トリガー式スプレーヤーを具備するスプレー容器に充填してなるものが好ましい。
トリガー式スプレーヤーとしては、実公平６−３４８５８号公報、特公昭６３−２６６８号公報に記載のもの等が挙げられる。
本発明の液体漂白剤組成物を、スプレーヤーを備える吐出容器に充填して用いる場合には、対象物に泡状に付着させた後、一定時間静置してから水で洗い流したり、水を含んだ紙や布、ガーゼ、ペーパータオル等によりふき取ったりすることで、対象物に付着した汚れを洗浄、除菌することができる。また、本発明のスプレー式漂白剤物品により、排水管、排水口及びそれらの周囲などに存在する毛髪を溶解することができる。
【００５４】
スプレー容器は、泡形成機構を有するスプレーヤーを備えることが好ましい。泡形成機構としては、好ましくはスピンエレメント及び直径４ｍｍ以上、８ｍｍ以下の円形状の空間部分に棒状の突起を数個設置された液体通過板を有するものが好適である。
ここでスピンエレメントとは、スピンエレメントを通じて液状物の流れにスピンを与え、最後にノズルから噴出する機構である。スピンエレメントの詳細な構造としては、特開平８−３３２４２２号公報、特開平８−１０８１０２号公報の図４（ｂ）、特開２００２−６８２６５号公報の図１などを参考にすることができる。
泡形成機構のもう一つの部材である液体通過板は、直径５ｍｍ以上、７ｍｍ以下の円形状の空間部分に棒状の突起を好ましくは３個以上、８個以下設置されたものであり、通過する板を平面で見た場合に、好ましくは幅０．８ｍｍ以上、１．２ｍｍ以下、長さ２ｍｍ以上、４ｍｍ以下の長方形状の棒状の突起が好適である。また、棒状の突起を除いた空間部分に対する棒状の突起の占める面積は、３０面積％以上が好ましく、４０面積％以上がより好ましく、そして、９０面積％以下が好ましく、８０面積％以下がより好ましく、７０面積％以下が更に好ましい。このような液体通過板を設置することで、垂直表面への泡の付着滞留性が良好になる。
【００５５】
泡形成機構を有するスプレーヤーを備える吐出容器としては、一般に使用されている容器を用いることができる。例えば、ポリエチレンを原料として得られるものであり、ブロー成型などによって製造することができる。容器の肉厚は底面と側面と異なってもよく、０．０５ｍｍ以上、３．０ｍｍ以下が好ましく、容器の容量は２００ｍＬ以上、１０００ｍＬ以下が好ましい。
【００５６】
＜排水口又は排水管の洗浄方法＞
本発明の排水口又は排水管の洗浄方法は、本発明の液体漂白剤組成物を排水口又は排水管に塗布する工程、前記液体漂白剤組成物が塗布された状態を３分間以上保持する工程、前記液体漂白剤組成物が塗布された排水口又は排水管を水で濯ぐ工程、を有する。
【００５７】
本発明の液体漂白剤組成物を排水口又は排水管に塗布する工程では、本発明の液体漂白剤組成物をスプレーして排水口又は排水管に塗布することが好ましい。この工程では、本発明のスプレー式漂白剤物品を用いることが好ましい。この工程では、スプレー一回あたりの組成物の排出量は、０．１ｇ以上が好ましく、０．４ｇ以上がより好ましく、そして、１．２ｇ以下が好ましい。この工程では、組成物の塗布量は、１００ｃｍ２当たり、１ｇ以上が好ましく、２ｇ以上がより好ましく、そして、１０ｇ以下が好ましく、８ｇ以下がより好ましい。
【００５８】
前記組成物が塗布された状態を３分間以上保持する工程では、該組成物が塗布された状態を３分間以上、好ましくは５分間以上、そして、好ましくは６０分間以下、より好ましくは３０分間以下保持する。
【００５９】
前記組成物が塗布された排水口又は排水管を水で濯ぐ工程は、蛇口もしくはシャワーからの水を注入することにより行うことができる。濯ぎに用いる水の量は、１リットル以上が好ましく、更に３リットル以上、更に５リットル以上が好ましく、そして、２０リットル以下が好ましく、更に１５リットル以下、さらに１０リットル以下が好ましい。
【００６０】
なお、本発明の洗浄方法は、排水口及び／又は排水管を対象とすることができる。排水口又は排水管は、金属部材を含むものが挙げられる。
【００６１】
本発明の洗浄方法として、排水口又は排水管が金属部材を含み、該金属部材を腐食させずに洗浄する洗浄方法が挙げられる。
【実施例】
【００６２】
表１の液体漂白剤組成物を調製した。縦７０ｍｍ×横２５ｍｍ×厚み１ｍｍのステンレス板（ＳＵＳ３０４）を、縦方向で半分の部分が浸るように、実施例又は比較例の液体漂白剤組成物に２０時間浸漬した。浸漬後のステンレス板の外観を目視観察し、状態を評価した。結果を表１に示す。
なお、表１の実施例の液体漂白剤組成物は、何れも、２５℃におけるｐＨが１３以上であった。
【００６３】
【表１】
0006443965.tif 000003
【００６４】
なお、実施例１〜６の液体漂白剤組成物は、トリガー式スプレーヤーを具備するスプレー容器に充填して２５ｍＬを１０倍に発泡させて、０．１ｇの人毛に接触させると、２５℃、３分で溶解し始め、１５分で完全に溶解させることができる。また、この評価の際のスプレー容器の操作性も良好である。